(57)【要約】【課題】パターンイメージを有する造型変更可能なカメラ構造の提供。【解決手段】本考案のパターンイメージを有する造型変更可能なカメラ構造は、一般の無装飾のパターンイメージのカメラの単調な外観に改良を加えたもので、カメラの外表面美観と功能を大幅に向上するものである。また、造型ウィンドウのイメージパターンカードを交換できるので、個人化が可能で、多元化の個性と個人の創作の表現を満足させ、流行の追及や創意工夫の使用要求が満たされ、購買意欲を高めるものである。【選択図】    図１
0003127178.tif 000002
【実用新案登録請求の範囲】
【請求項１】
パターンイメージを有する造型変更可能なカメラ構造であって、カメラとパターンイメージカードからなり、前記カメラ表面に、パターンイメージを交換できる造型ウィンドウを有し、異なるパターンイメージカードを結合し、パターンイメージ表示効果を有するカメラを構成することを特徴とするパターンイメージを有する造型変更可能なカメラ構造。
【請求項２】
前記造型ウィンドウは、トレンチにより側面のスロットと連通し、異なるパターンイメージカードをスロットにより挿結した後、パターンイメージを造型ウィンドウに相対させることを特徴とする請求項１に記載のパターンイメージを有する造型変更可能なカメラ構造。
【請求項３】
前記造型ウィンドウは、トレンチにより金属片を結合し、パターンイメージカードは、パターンイメージ層と磁石カードを有することを特徴とする請求項１に記載のパターンイメージを有する造型変更可能なカメラ構造。
【請求項４】
前記スロット底面は、金属片を結合し、パターンイメージカードは、パターンイメージ層と磁石カードを有することを特徴とする請求項２に記載のパターンイメージを有する造型変更可能なカメラ構造。  
【請求項５】
前記パターンイメージカードは、パターンイメージを印刷した磁石シールであることを特徴とする請求項３、或いは、４に記載のパターンイメージを有する造型変更可能なカメラ構造。  
【請求項６】
前記金属片は金属レンズであることを特徴とする請求項３、或いは、４に記載のパターンイメージを有する造型変更可能なカメラ構造。
【考案の詳細な説明】
【技術分野】
【０００１】
本考案はパターンイメージを有する造型変更可能なカメラ構造機体外殻に関に関する。
【背景技術】
【０００２】
現在、一般によく見られるカメラ構造は、機体外殻は大部分が功能を重視した設計で、外観に対する装飾設計に乏しい。カメラの外観は往々にして単調で、通常、功能が好ましくないと購買意欲も沸かない。
【０００３】
更に、現在は、若者が主要なカメラの購買層であり、若者は、流行を追い、個性を重視するので、外観が単調であるカメラは彼らの興味を引くことができない。
【考案の開示】
【考案が解決しようとする課題】
【０００４】
本考案の目的は、公知のカメラの美観欠乏を改善するカメラを提供することにある。
【０００５】
本考案は、個人の好みで任意に異なる造型、或いは、パターンイメージを変更でき、フレキシブルな装飾パターンにして、若者の流行への敏感性に符合し、個性化できるパターンイメージを有する造型変更可能なカメラ構造を提供することを目的とする。
【０００６】
本考案は、カメラ外観を美化でき、カメラの外観美化とカメラの外的功能向上を達する造型変更可能なカメラ構造を提供することを目的とする。
【０００７】
本考案は、パターンイメージを取り外すだけで、金属レンズにより、鏡面使用功能を有する造型変更可能なカメラ構造を提供することを目的とする。
【課題を解決するための手段】
【０００８】
上述の目的を達成するため本考案の造型変更可能なカメラ構造は、カメラの表面に、パターン変更可能な造型ウィンドウを凹設し、異なるパターンイメージカードを結合組成する。造型ウィンドウは、カメラ表面に、トレンチを凹設し、一側のスロットと連通してなる。或いは、カメラ表面のトレンチにより金属片（金属レンズ）を結合して組成し、パターンイメージカードは更に、パターンイメージ層と磁石カードを結合する。或いは、パターンイメージカードにシールを貼結してなる。或いは、直接、パターンイメージを印刷した磁性シールである。更に、トレンチと連通したスロット内に、更に、金属片を結合し、上述の磁性を有するパターンイメージカードを吸附し固定する。
【考案の効果】
【０００９】
若者の個性を発揮できるようなパターンイメージを有する造型変更可能なカメラ構造が提供される。
【考案を実施するための最良の形態】
【００１０】
図１、図２は、本考案の立体図分解図、及び、部分組み合わせ図であり、カメラ１０とパターンイメージカード２０からなる。
【００１１】
カメラ１０は、機体外殻の表面にパターンイメージが変更可能な造型ウィンドウ１１を設置し、造型ウィンドウ１１は、トレンチにより金属片１２を結合し、金属片１２は、更に、鏡面功能を有する金属レンズを形成する。
【００１２】
パターンイメージカード２０は、任意の形状で、表面にパターンイメージ層２２を有するカードで、底面に磁石カード２１を結合してなる。また、図１の矢印で示されるように、パターンイメージカード２０はパターンイメージ層２２底面にシール２３を結合してなる。或いは、パターンイメージを印刷した磁性シール２０Aである。
【００１３】
上述の構造の組み合わせは、パターンイメージカード２０を底面の磁石カード２１により造型ウィンドウ１１底部の金属片１２に吸附貼固し、図３で示されるように、パターンイメージ表示の装飾効果を有するカメラが構成され、カメラの外観美を達成して、カメラの外部構造を大幅に向上させる他、個人の好みに応じて、異なるパターンイメージカード２０を交換でき、フレキシブルに異なるパターンイメージ、及び、造型表示の功能を有し、若者の流行への敏感度、個性化への要求を満たし、購買意欲を増加させる。
【００１４】
図４で示されるように、カメラ１０の一側に、造型ウィンドウ１１のトレンチと連通するスロット１３を有し、磁性を有さないパターンイメージカード２０Bをカメラ１０一側のスロット１３から挿入し、パターンイメージカード２０Bのパターンイメージを造型ウィンドウ１１に相対させ、図５で示されるようなパターンイメージ表示の装飾効果を有するカメラ１０を構成し、任意に造型ウィンドウ１１内のパターンイメージカード２０Bを交換して異なるパターンイメージ表示に変化させる。更に、スロット１３内に更に点線で示される金属片１２’を結合し、パターンイメージ層２２により磁性カード２１と結合して、磁性を有するパターンイメージカード２０を吸附固定する。或いは、図１で示されるように、パターンイメージを印刷した磁性シール２０Aである。
【００１５】
更に、本考案のパターンイメージカード２０は可動式挿結、或いは、貼附設計であり、金属片１２が金属レンズである時、貼附したパターンイメージカード２０を取り外せば、金属レンズにより形成される鏡面功能により、身だしなみを整える鏡として使用でき、多功能変化使用できるカメラ構造が達成される。
【００１６】
上述のような、パターンイメージを有する造型変更可能なカメラ構造は、カメラ外殻がパターンイメージの装飾を変化できることにより、美観と外的功能を大幅に向上させる以外に、若者の流行や個人化への要求を満たし、購買意欲を増加させる。
【図面の簡単な説明】
【００１７】
【図１】本考案の立体分解図である。
【図２】本考案の構造の半組み合わせ立体図である。
【図３】本考案の立体組み合わせ図である。
【図４】本考案の第二実施例による構造立体分解図である。
【図５】本考案の第二実施例による構造立体組み合わせ図である。
【符号の説明】
【００１８】
１０  カメラ
１１  造型ウィンドウ
１２  １２’  金属片
１３  スロット
２０  パターンイメージカード
２０A  磁石シール
２０B  磁性のないパターンイメージカード
２１  磁性カード
２２  パターンイメージ層
２３  シール
【図１】
0003127178.tif 000003
【図２】
0003127178.tif 000004
【図３】
0003127178.tif 000005
【図４】
0003127178.tif 000006
【図５】
0003127178.tif 000007